(57)【要約】【課題】デジタルカメラの画像プリントを作成するプリントシステムであって、顧客の負担を最小限にできるプリントシステムを提供する。【解決手段】注文情報の設定手段、撮影画像データおよび注文情報（プリント情報）の記憶手段を有するデジタルカメラと、プリント情報の入／出力部、バッファメモリを有する受付端末と、プリントを注文情報に応じて出力するプリント出力機と、受付端末およびプリント出力機を接続する通信手段とを有し、入力部は、記憶手段に記憶されたプリント情報を読み取ってバッファメモリに記録し、出力部は、バッファメモリからプリント情報を読み出して、通信手段によってプリント出力機に送信することにより、前記課題を解決する。【選択図】図１
2004062713.tif 000002
【特許請求の範囲】
【請求項１】
注文情報の設定手段、ならびに撮影画像データおよび前記注文情報を記憶する記憶手段を有するデジタルカメラと、前記撮影画像データおよび注文情報の入力部、前記撮影画像データおよび注文情報の出力部、ならびにバッファメモリを有するプリント注文受付端末と、撮影画像データを再現したプリントを前記注文情報に応じて出力するプリント出力機と、前記プリント注文受付端末およびプリント出力機を接続する通信手段とを有し、
前記プリント注文受付端末の入力部は、前記記憶手段に記憶された撮影画像データおよび注文情報を読み取ってバッファメモリに記録し、前記プリント注文受付端末の出力部は、前記バッファメモリから撮影画像データおよび注文情報を読み出して、前記通信手段によってプリント出力機に送信することを特徴とするプリントシステム。
【請求項２】
前記通信手段で接続されるプリント注文受付端末とプリント出力機との間に、集中受付サーバを有し、前記撮影画像データおよび注文情報を、この集中受付サーバを介して前記プリント注文受付端末からプリント出力機に送信する請求項１に記載のプリントシステム。
【請求項３】
前記プリント注文受付端末の入力部は、前記記憶手段に記憶された全ての撮影画像データおよび注文情報を読み取って前記バッファメモリに記録し、前記プリント注文受付端末の出力部は、プリント作成に必要な撮影画像データおよび注文情報を選択して送信する請求項１または２に記載のプリントシステム。
【請求項４】
前記注文情報に、プリントの引き取り場所が含まれており、
注文者が前記プリント注文受付端末から引き取り場所まで移動するのに必要な時間に応じて、前記プリント注文受付端末からの撮影画像データおよび注文情報の送信、ならびに、前記プリント出力機におけるプリント作成の少なくとも一方の優先順位を決定する請求項１〜３のいずれかに記載のプリントシステム。
【発明の詳細な説明】
【０００１】
【発明の属する技術分野】
本発明は、デジタルカメラで撮影した画像を再生したプリントを出力するプリントシステムの技術分野に属し、詳しくは、プリントの注文者の手間や時間を最小限にできるプリントシステムに関する。
【０００２】
【従来の技術】
パーソナルコンピュータ（ＰＣ）やＰＤＡ（Ｐｅｒｓｏｎａｌ　Ｄｉｇｉｔａｌ　Ａｓｓｉｓｔａｎｃｅ）等の普及に伴い、デジタルカメラの普及率が拡大している。
デジタルカメラで撮影された画像は、ＰＣ等に取り込まれて処理され、ホームページや年賀状等の各種の用途に使用されるのが通常である。しかしながら、デジタルカメラで撮影した画像を高品位な（写真）プリントとして残したいという要望も多く、これに対応して、近年では、ラボ店等の専門のプリント業者によって、デジタルカメラで撮影された画像からのプリント作成が行われている。
【０００３】
デジタルカメラで撮影した画像のプリント作成をプリント業者に注文する場合には、通常、撮影した画像の画像ファイル（画像データ）を、デジタルカメラに装着されるスマートメディア、ＩＣカード、ＣＤ−Ｒなどの記録媒体に記憶し、この記録媒体をプリント業者に引き渡し、プリントを注文する。
注文を受けたプリント業者は、引き渡された記録媒体から、デジタル処理が可能なフォトプリンタのメモリやサーバに画像データを取り込み、フィルムからのプリントと同様にして、プリントの作成を行う。
【０００４】
これに対し、コンピュータ通信ネットワーク等の通信回線を利用して、デジタルカメラで撮影した画像（画像データ）をプリント業者に送って、プリントを注文し、作成するプリントシステムも実用化している。
このような現状の下、テーマパークや行楽地等においてデジタルカメラで撮影した画像のプリントを、行楽地（もしくは、その近傍）などで注文し、自宅の近くで（好ましくは行楽地等からの帰宅途中に）、プリントを受け取ることができるプリントシステムの実用化が要望されている。
【０００５】
【発明が解決しようとする課題】
行楽地等で注文を行うプリントシステムでは、通信手段を用いた画像データ等のプリント業者への送信が必須であり、例えば、送信手段として携帯電話を利用することが考えられる。
しかしながら、デジタルカメラで撮影した画像データは、データ量が非常に多いために、携帯電話での送信に著しく長い時間が必要となる。そのため、プリントの注文者（以下、顧客とする）の通信料金の負担が大きく、また、送信時間など注文のための操作時間も長くなってしまい、実用的ではない。
【０００６】
一方で、デジタルカメラで撮影した画像のプリントの注文を受け付け、これをプリント出力機等に送信するプリント注文受付機（以下、受付端末とする）が、各種、提案されており、中には、顧客による操作を可能にしたものも多い。
例えば、特開２００１−９４９１０号公報には、顧客による操作も可能な受付端末として、デジタルカメラによる撮影画像データを記録した記録媒体から画像データを読み出す手段と、画像のプリント作成に関する情報を作成する作成手段と、画像データやプリント作成に関する情報をプリンタに出力する出力手段とを有する受付端末が開示されている。
【０００７】
このような受付端末を行楽地に設置することにより、前述のような、行楽地でプリントを注文して、自宅近傍でプリントを受け取ることができるプリントシステムを実現することが可能である。
しかしながら、行楽地では、受付端末が非常に混雑することも考えられ、操作に時間がかかると、受付端末の順番待ち時間が発生してしまう。また、このような受付端末では、専用の通信回線を利用することも考えられ、その際には、携帯電話で画像データを送信する場合に比して、送信時間は短くなるが、デジタルカメラの画質向上に伴い、画像データの量は多くなる傾向にあるため、送信のための待ち時間は、決して無視できるものではない。
【０００８】
本発明の目的は、前記従来技術の問題点を解決することにあり、デジタルカメラで撮影された画像を再生したプリントを作成するプリントシステムであって、プリントを注文する顧客の操作および待ち時間を最小限にできるプリントシステムを提供することにある。
【０００９】
【課題を解決するための手段】
前記目的を達成するために、本発明は、注文情報の設定手段、ならびに撮影画像データおよび前記注文情報を記憶する記憶手段を有するデジタルカメラと、前記撮影画像データおよび注文情報の入力部、前記撮影画像データおよび注文情報の出力部、ならびにバッファメモリを有するプリント注文受付端末と、撮影画像データを再現したプリントを前記注文情報に応じて出力するプリント出力機と、前記プリント注文受付端末およびプリント出力機を接続する通信手段とを有し、前記プリント注文受付端末の入力部は、前記記憶手段に記憶された撮影画像データおよび注文情報を読み取ってバッファメモリに記録し、前記プリント注文受付端末の出力部は、前記バッファメモリから撮影画像データおよび注文情報を読み出して、前記通信手段によってプリント出力機に送信することを特徴とするプリントシステムを提供する。
【００１０】
このような本発明のプリントシステムにおいて、前記通信手段で接続されるプリント注文受付端末とプリント出力機との間に、集中受付サーバを有し、前記撮影画像データおよび注文情報を、この集中受付サーバを介して前記プリント注文受付端末からプリント出力機に送信するのが好ましく、また、前記プリント注文受付端末の入力部は、前記記憶手段に記憶された全ての撮影画像データおよび注文情報を読み取って前記バッファメモリに記録し、前記プリント注文受付端末の出力部は、プリント作成に必要な撮影画像データおよび注文情報を選択して送信するのが好ましく、さらに、前記注文情報に、プリントの引き取り場所が含まれており、注文者（顧客）が前記プリント注文受付端末から引き取り場所まで移動するのに必要な時間に応じて、前記プリント注文受付端末からの撮影画像データおよび注文情報の送信、ならびに、前記プリント出力機におけるプリント作成の少なくとも一方の優先順位を決定するのが好ましい。
【００１１】
【発明の実施の形態】
以下、本発明のプリントシステムについて、添付の図面に示される好適実施例を基に、詳細に説明する。
【００１２】
図１に、本発明のプリントシステムの一例の概念をブロック図で示す。
図１に示されるプリントシステム１０は、デジタルカメラで撮影した画像のプリント（プリント作成）の注文を受けて、この撮影画像（撮影画像データ）を再現したプリントを作成するシステムで、基本的に、デジタルカメラ１２と、プリント注文受付端末１４と、プリント出力機１６と、通信回線１８とを有して構成される。
プリント注文受付端末１４とプリント出力機１６とは、通信回線１８によって接続可能にされ、これにより、プリント注文受付端末１４からプリント出力機１６に画像データや後述する注文情報を送信するが、図示例においては、両者は、集中受付サーバ２０を介して接続される。
【００１３】
図示例において、デジタルカメラ１２（以下、カメラ１２とする）は、撮影画像データ生成手段２２と、モニタ２４と、プリント注文情報設定手段２６と、情報記録手段２８と、記憶媒体３０とを有して構成される。
【００１４】
撮影画像データ生成手段２２（以下、画像生成手段２２とする）は、カメラ１２が撮影した画像の画像データを生成する部位である。
画像生成手段２２は、基本的に、通常のデジタルカメラと同様にして撮影画像（撮影シーン）の画像データを生成するもので、例えば、結像レンズ、ＣＣＤセンサなどの撮像素子、暗時補正やシェーディング補正などの撮像素子からの出力信号の補正を行う補正手段、階調変換や色／濃度補正などの画像処理を行なう画像処理手段、画像データをＪＰＥＧ（Ｊｏｉｎｔ　Ｐｈｏｔｏｇｒａｐｈｉｃ　Ｅｘｐｅｒｔ　Ｇｒｏｕｐ）フォーマットなどの所定フォーマットの画像データ（画像ファイル）に変換する変換手段等を有して構成される。
【００１５】
モニタ２４も、基本的に、通常のデジタルカメラが有するモニタと同様のものであり、画像生成手段２２が生成した画像データの画像表示（撮影画像（撮影シーン）の表示）、各種の操作指示の表示、各種の情報の表示、ＧＵＩ（Ｇｒａｐｈｉｃａｌ
Ｕｓｅｒ　Ｉｎｔｅｒｆａｃｅ）による各種の操作のための表示等を行う。
【００１６】
プリント注文情報設定手段２６（以下、注文設定手段２６とする）は、プリント業者（プリント出力機１６）に、カメラ１２で撮影した画像を再生したプリント（プリントの作成）を注文するための、注文情報を設定するものである。
注文設定手段２６による注文情報の設定は、例えば、モニタ２４を利用したＧＵＩ等によって、プリントの注文者（カメラ１２の使用者　以下、顧客とする）による操作に応じて行えばよい。
【００１７】
注文情報としては、各種の情報が例示され、特に限定はない。一例として、プリントを依頼する画像（コマ）指定情報、プリント枚数指定情報、プリントサイズ指定情報、プリント用紙種別指定情報、プリント引き取り場所指定情報、顧客ＩＤ番号などの顧客識別情報、クレジットカード決済情報（顧客によるプリント放置の防止に、クレジット決済を利用するのが好ましい）等が例示される。
また、カメラ１２が、デジタルプリント注文の規格であるＤＰＯＦ（Ｄｉｇｉｔａｌ　Ｐｒｉｎｔ　Ｏｒｄｅｒ　Ｆｏｒｍａｔ）に対応するものである場合には、これを利用して注文情報を設定してもよい。
【００１８】
情報記録手段２８は、画像生成手段２２が生成した画像データ、および注文情報手段２６が設定した注文情報（以下、便宜的に、画像データと注文情報とをまとめて、プリント情報とする）を、記憶媒体３０に記録するものである。
図示例において、記憶媒体３０は、カメラ１２に着脱自在な、いわゆるリムーバブルメディアである。このような記憶媒体３０には、特に限定はなく、例えば、スマートメディアＴＭ、ＰＣカードＴＭ、コンパクトフラッシュＴＭ、メモリースティックＴＭ等、各種のデジタルカメラに利用されるものが利用可能である。
【００１９】
なお、本発明のプリントシステムを構成するデジタルカメラは、リムーバブルメディアにプリント情報を記録するのに限定はされず、デジタルカメラに固定的に内蔵されたメモリ等の記憶手段にプリント情報を記録し、公知のインターフェイスを用いてデジタルカメラと後述するプリント注文受付端末１４を接続して、プリント情報をプリント注文受付端末１４にダウンロードしてもよい。
【００２０】
プリント注文受付端末１４（以下、受付端末１４とする）は、記憶媒体３０からプリント情報を読み取り、通信回線１８によって集中受付サーバ２０に送信するものであって、基本的に、入力部３２と、バッファメモリ３４と、出力部３６とを有して構成される。
なお、図示例においては、受付端末１４は１台しか示していないが、本発明のプリントシステム１０は、通常、多数台の受付端末１４を有し、通信回線１８によって集中受付サーバ２０に接続されている。
【００２１】
このような受付端末１４は、例えば、行楽地、テーマパーク、遊園地、駅、コンビニエンスストア等に設置される。また、公衆電話に、入力部３２、バッファメモリ３４、および出力部３６の作用を持たせて、本発明のプリントシステム１０の受付端末１４とするのも、好ましい。
【００２２】
入力部３２は、プリントの注文に供される記録媒体３０を装填されると、この記録媒体３０に記録されたプリント情報を読み出して、バッファメモリ３４に記録（ダウンロード）する部位である。
なお、バッファメモリ３４としては、十分な記憶容量を有するものであれば、各種の記憶媒体が利用可能であり、例えば、ハードディスクを利用すればよい。また、受付端末１４は、バッファメモリ３４を複数有してもよい。
【００２３】
入力部３２による記録媒体３０からのプリント情報の読み取り、およびバッファッメモリ３４への記録が終了すると、受付端末１４は、この記録媒体３０によるプリント注文に固有の受付ＩＤを生成し、図示しないディスプレイによる表示やプリンタによるレシート出力等によって、この受付ＩＤを出力し、さらに必要に応じて記録媒体３０に受付ＩＤ番号を記録する。
この受付ＩＤの出力によって、この件（本例においては、１つの記録媒体３０による１回のプリント注文を１件とする）に関するプリント注文の受付が終了し、顧客はプリント注文の操作から解放される。
【００２４】
従来のデジタルカメラによる撮影画像からプリントを作成するシステムでは、受付端末で注文情報を設定すると共に、プリント出力機等へのプリント情報の送信が終了し、受付ＩＤ等を発行した時点で、プリント注文の受付が終了する。
そのため、注文情報の入力操作やプリント情報の送信時間等、受付端末による受付に手間と時間がかかり、顧客の負担が大きく、さらに、行楽地やテーマパークのように人が集まる場所に受付端末を設置した場合には、長時間の順番待ち等が生じる可能性が高い。
【００２５】
これに対し、本発明のプリントシステム１０においては、カメラ１２で注文情報を設定すると共に、受付端末１４にバッファメモリ３４を持たせて、プリントの注文に供される記録媒体３０が装填されると、記録されたプリント情報をバッファメモリ３４に記録して、これで受付を終了する。
従って、プリント注文のための顧客による受付端末１４の操作は、基本的に、入力部３２への記録媒体３０の装填（カメラ１２の接続）のみであり、また、注文受付時における受付端末１４の操作もバッファメモリ３４へのプリント情報の記録のみであるので、受付時間も、極めて少なくできる。すなわち、本発明によれば、デジタルカメラによる撮影画像からプリントを作成するシステムにおいて、受付端末１４による注文受付にかかる顧客の手間と時間を最小限にできる。
【００２６】
図示例においては、入力部３２は、好ましい態様として、記録媒体３０に記録された全ての情報（データ）をバッファメモリ３４に記録する。このような構成とすることにより、情報の選択等にかかる時間を無くして、バッファメモリ３４記録へのプリント情報記録時間を短縮して、受付時間を短くできる。
なお、入力部３２によるバッファメモリ３４へのプリント情報の記録は、プリント作成を依頼された画像データや、それに関する注文情報のみ等、プリント作成に必要な情報のみを選択して行ってもよい。
【００２７】
出力部３６は、所定のタイミングでバッファメモリ３４から各件のプリント情報を読み出し、必要に応じて圧縮等の処理を行って、通信回線１８によって集中受付サーバ２０に送信する。
図示例においては、入力部３２は、各件の記録媒体３０に記録された全情報をバッファメモリ３４に記録している。そのため、出力部３６は、好ましい態様として、各件のプリント情報を解析して、プリント作成に必要な画像データおよび注文情報のみを選択して、プリント情報として集中受付サーバ２０に送信する。これにより、送信時間や処理効率の点で有利となる。
なお、前述のように、この選択を入力部３２において行っている場合には、この操作は不要である。あるいは、出力部３６も全情報を送信して、後述する集中受付サーバ２０やプリント出力機１６において、このような情報の選択を行うようにしてもよい。
【００２８】
受付端末１４の出力部３６からのプリント情報の送信タイミングには、特に限定はないが、基本的に、バッファメモリ３４に１件分以上のプリント情報が記録されている場合には、随時、送信を行うのが好ましい。
【００２９】
ここで、本発明においては、注文情報でプリントの引き取り場所（以下、引取場所とする）が指定されている件は、注文者（顧客）が受付端末１４から引取場所まで移動するのにかかる時間（以下、移動時間とする）に応じて、この移動時間が短い件のプリント情報を優先的に集中受付サーバ２０に送信するのが好ましい。あるいは、移動時間から、受付終了からの経過時間を差し引いた時間（［移動時間］−［受付終了からの経過時間］）が短い件のプリント情報を優先的に集中受付サーバ２０に送信するようにしてもよい。
なお、この移動時間は、例えば、公共の交通機関を用いた場合にかかる平均的な時間とすればよい。また、自動車で高速道路等を利用して移動する時間であってもよい。
【００３０】
本発明のプリントシステム１０においては、注文情報として、作成したプリントの引取場所を指定できることが好ましい。この際において、受付端末１４がテーマパークや行楽地（あるいは、その近傍）に設置されており、此処で顧客がプリントを注文をした場合には、自宅近傍に引取場所を指定すると共に、行楽地等からの帰宅途中にプリントを受け取れる事を要求される場合も多い。しかしながら、受付端末１４から引取場所までの移動時間は、各件によって様々であり、すなわち、前記要求を満たすために与えられる時間も、各件毎に様々である。
従って、上記移動時間に応じて、出力部３６から移動時間が短い件のプリント情報を優先的に送信することにより、より効率のよい処理を行って、前記プリント受け取りの要求を好適に満たすことが可能になる。
【００３１】
なお、本発明のプリントシステム１０においては、移動時間や引取場所に対応するプリント出力機１６の混雑状況等に応じて、受付端末１４において、本日中の受け取りの可能／不可能や仕上がり予定時刻を、前記受付ＩＤと同様に出力してもよい。
また、この本日中の受け取りの可能／不可能や仕上がり予定時刻の出力後に、顧客が注文の有無を選択や、注文の取り消しをできるようにしてもよい。
【００３２】
受付端末１４が受け付けたプリント注文において、例えば、プリントシステム１０における必須用件の注文情報が設定されていない、プリント情報が不備を有する、注文情報で指定されたクレジットカードの認証が取れない等のエラーが生じた場合には、エラーの発生を顧客に伝えるのが好ましい。
エラー発生の伝達方法には特に限定はなく、受付端末１４での受付処理中にエラーが発生した場合には、ディスプレイ表示や警告音等で行えばよい。また、受付終了後にエラーが発生した場合には、例えば、顧客ＩＤ等から連絡先（携帯電話等）が知見できる場合には、これを利用すればよい。
【００３３】
前述のように、プリント情報は、通信回線１８によって受付端末１４の出力部３６から集中受付サーバ２０に送信される。
通信回線１８は、各種の手段が利用可能であり、有線でも、無線でも、有線と無線の併用でもよい。また、インターネットのような公開された通信ネットワークを利用するものでも、例えばＮＮＣＳ（ＮＴＴ　Ｎｅｔｗｏｒｋ　Ｃｏｎｎｅｃｔ　Ｓｅｒｖｉｃｅ）　のようなプライベートな通信ネットワークを利用するものでもよい。さらに、汎用の回線を利用するものでも、専用回線を利用するものでもよい。
【００３４】
集中受付サーバ２０（以下、サーバ２０とする）は、例えば、本発明のプリントシステム１０を実施するプリント業者が有するもので、受付端末１４の負担を低減して、迅速な処理を可能にするために、好ましい態様として設置される。
サーバ２０は、受付端末１４から送信されたプリント情報を、通信回線１８によって適宜選択したプリント出力機１６に送信する。
なお、サーバ２０からの送信タイミングにも、特に限定はないが、基本的に、サーバ２０にプリント情報が記録されている場合には、随時、送信を行うようにするのが好ましい。また、同じプリント出力機１６に複数件のプリント情報を送信する場合には、まとめて（必要に応じて、圧縮等を行って）送信を行うようにしてもよい。
【００３５】
ここで、図示例においては、プリント出力機１６は１台しか示していないが、本発明のプリントシステム１０は、多数台のプリント出力機１６を有するのが通常である。また、前述のように、本発明においては、注文情報として、作成したプリントの引取場所を指定できることが好ましい。
従って、サーバ２０は、注文情報として引取場所が指定された件は、指定された引取場所に応じて、各件毎に引取場所に最も近いプリント出力機１６を選択してプリント情報を送信する。
また、先と同様の理由で、引取場所が指定されている件は、移動時間が短い件のプリント情報、あるいは、移動時間から、受付終了からの経過時間を差し引いた時間が短い件のプリント情報を、優先的にプリント出力機１６に送信するのが好ましい。
【００３６】
なお、本発明のプリントシステム１０は、このようなサーバ２０を有するのに限定はされず、受付端末１４が、同様にして、出力部３６からプリント出力機１６にプリント情報を送信してもよい。
【００３７】
前述のように、プリント情報は、通信回線１８によって、サーバ２０からプリント出力機１６（あるいは、プリント出力機１６に接続される情報の受信端末やコントローラ）に送信される。
プリント出力機１６は、プリントシステム１０を構成するラボ店などに設置されるものであって、各件の注文情報に応じて、画像データを再現したプリントを作成し、出力するものである。
【００３８】
本発明のプリントシステム１０において、プリント出力機１６は、基本的に、公知のプリンタと同様でよい。
例えば、供給された画像データ（画像ファイル）を処理してプリント作成に対応する画像データに変換し、必要に応じて画像処理を行って、この画像データに応じて変調した光ビームによって、印画紙等の感光材料を走査露光して潜像を形成し、露光済みの感光材料に発色／現状、定着、漂白等の所定の現像処理を施し、乾燥して、プリントとして出力するプリンタが例示される。
【００３９】
また、プリント出力機１６は、先と同様の理由で、引取場所が指定されている件は、移動時間が短い件、あるいは、移動時間から、受付終了からの経過時間を差し引いた時間が短い件を、優先的に作成するのが好ましい。
なお、本発明のプリントシステム１０においては、プリント出力機１６の設置場所と、プリントの引取場所とは、必ずしも同位置である必要はない。この際には、作成したプリントは、例えば、宅配業者を利用して、プリント出力機１６から引取場所に送付する。
【００４０】
以下、プリントシステム１０の作用を説明する。
前述のように、カメラ１２で撮影され、画像生成手段２２によって生成された画像データは、情報記録手段によって記録媒体３０に記録される。また、プリントを注文する顧客は、注文設定手段２６によってプリントする画像や引取場所などの注文情報を設定する。この注文情報も、同様に、情報記録手段２８によって記録媒体３０に記録される。
【００４１】
以上の作用を終了した顧客は、記録媒体３０をカメラ１２から取り外し、受付端末３２の入力部３２に装填する。入力部３２は、記録媒体３０に記録された全情報を読み出し、バッファメモリ３４に記録する。
他方、出力部３６は、所定のタイミングでバッファメモリ３４からプリント情報を読み出し、各件毎にプリント作成に必要な注文情報および画像データを選択して、プリント情報として、通信回線１８によってサーバ２０に送信する。
【００４２】
一方、プリント情報を受信したサーバ２０は、所定のタイミングで、各件の引取場所に応じて送信先を選択して、通信回線１６によってプリント情報をプリント出力機１６に送信する。
プリント情報を受信したプリント出力機１６は、各件（あるいは各コマ）の注文情報に応じて、画像データを再現したプリントを作成して、出力する。さらに、プリント出力機１６と、指定された引取場所とが異なる場合には、出力したプリントを指定された引取場所に送付する。
【００４３】
以上、本発明のプリントシステムについて詳細に説明したが、本発明は上記実施例に限定はされず、本発明の要旨を逸脱しない範囲において、各種の改良や変更を行ってもよいのは、もちろんである。
例えば、図１に示されるプリントシステム１０においては、１つの集中受付サーバ２０を有しているが、本発明のプリントシステムは、これに限定はされず、前述のように集中受付サーバを有さなくてもよく、あるいは、１つのプリントシステムに複数の集中受付サーバを有してもよい。
【００４４】
【発明の効果】
以上、詳細に説明したように、本発明のプリントシステムによれば、デジタルカメラで撮影された画像を再生したプリントを作成するプリントシステムにおいて、プリントを注文する顧客の操作および待ち時間を最小限にできる。
【図面の簡単な説明】
【図１】本発明のプリントシステムの一例の概略ブロック図である。
【符号の説明】
１０　プリントシステム
１２　（デジタル）カメラ
１４　（プリント注文）受付端末
１６　プリント出力機
１８　通信回線
２０　（集中受付）サーバ
２２　（撮影）画像（データ）生成手段
２４　モニタ
２６　（プリント）注文（情報）設定手段
２８　情報記録手段
３０　記録媒体
３２　入力部
３４　バッファメモリ
３６　出力部
【図１】
2004062713.tif 000003